(57)【要約】【課題】濾過能力が高く、かつ分離処理された固形物を収納可能な強度を持つ「脱水用袋」及び「この脱水用袋を用いる脱水装置」を提供することである。【解決手段】複数の透水孔が形成された収納袋１２と、収納袋１２の内側に設けた濾過布１３とを有する、水と固形物とが混濁した混濁水を水と固形物とに分離する脱水用袋１１と、脱水用袋１１を吊り下げる脱水用袋吊り架台２８と、投入された混濁水を撹拌する処理タンク２３と、撹拌された混濁水を送り出す水中ポンプ４３と、水中ポンプ４３により送られる混濁水に凝集剤を投入して撹拌する凝集反応タンク２５と、凝集剤を投入された混濁水を送り出す水中ポンプ４８と、を有し、水中ポンプ４８により送られる混濁水が、脱水用袋吊り架台２８により保持された脱水用袋１１に投入される構成となる。【選択図】図２
2016036798.tif 000002
【特許請求の範囲】
【請求項１】
水と固形物とが混濁した混濁水を前記水と前記固形物とに分離する脱水用袋であって、
複数の透水孔が形成された収納袋と、
該収納袋の内側に設けた濾過布と、を有する脱水用袋。
【請求項２】
前記脱水用袋を吊り下げるために前記脱水用袋に装着された吊り部材を有する請求項１に記載の脱水用袋。
【請求項３】
前記吊り部材は、両端部を前記脱水用袋に縫合された、一対のベルト状部材である請求項２に記載の脱水用袋。
【請求項４】
前記濾過布は、前記収納袋との縫合により前記収納袋の内側全体に設けられている請求項１乃至３のいずれかに記載の脱水用袋。
【請求項５】
前記濾過布は、フランネルを含む天然素材又は人工素材による織布又は不織布から成る請求項１乃至４のいずれかに記載の脱水用袋。
【請求項６】
前記収納袋は、透水性の材質又は複数の排水用孔部を設けた遮水性の材質から成る請求項１乃至５のいずれかに記載の脱水用袋。
【請求項７】
前記収納袋は、フレキシブルコンテナバッグである請求項１乃至６のいずれかに記載の脱水用袋。
【請求項８】
請求項１乃至７のいずれかに記載の脱水用袋と、
前記脱水用袋を所定状態に保持する脱水用袋保持手段と、
投入された混濁水を撹拌する処理タンクと、
該処理タンクで撹拌された前記混濁水を前記処理タンク外へ送り出す第１の送出手段と、
該第１の送出手段により送られる前記混濁水に凝集剤を投入して撹拌する凝集反応タンクと、
凝集剤を投入された前記混濁水を前記凝集反応タンク外へ送り出す第２の送出手段と、を有し、
該第２の送出手段により前記混濁水が、前記脱水用袋保持手段により保持された前記脱水用袋に投入される脱水装置。
【請求項９】
請求項２又は３に記載の脱水用袋と、
前記脱水用袋の前記吊り部材と係合する吊り具により前記脱水用袋を吊り下げる脱水用袋吊り架台と、
投入された混濁水を撹拌する処理タンクと、
該処理タンクで撹拌された前記混濁水を前記処理タンク外へ送り出す第１の送出手段と、
該第１の送出手段により送られる前記混濁水に凝集剤を投入して撹拌する凝集反応タンクと、
凝集剤を投入された前記混濁水を前記凝集反応タンクから前記脱水用袋吊り架台に吊り下げられた前記脱水用袋に送り出す第２の送出手段と、
前記脱水用袋から排出された、前記混濁水から分離された水を貯留する第１の分離水貯留タンクと、を有する脱水装置。
【請求項１０】
前記脱水用袋吊り架台は、前記脱水用袋から排出された、前記混濁水から分離された水を集水する分離水受け台を備え、該分離水受け台は、前記第１の分離水貯留タンクに連通されている請求項９に記載の脱水装置。
【請求項１１】
請求項２に記載の脱水用袋と、
前記脱水用袋の前記吊り部材と係合する位置決め具により前記脱水用袋を吊り下げて、回転脱水させる脱水機と、
投入された混濁水を撹拌する処理タンクと、
該処理タンクで撹拌された前記混濁水を前記処理タンク外へ送り出す第１の送出手段と、
該第１の送出手段により送られる前記混濁水に凝集剤を投入して撹拌する凝集反応タンクと、
凝集剤を投入された前記混濁水を前記凝集反応タンクから前記脱水機に吊り下げられた前記脱水用袋に送り出す第２の送出手段と、
前記脱水機から排出された、前記混濁水から分離された水を貯留する第２の分離水貯留タンクと、を有する脱水装置
【請求項１２】
前記第２の送出手段は、前記凝集剤が投入された前記凝集タンク内で前記混濁水からフロック及び上澄みの形成後に、前記混濁水を前記脱水用袋に送り出す請求項８乃至１１のいずれかに記載の脱水装置。
【請求項１３】
前記第１の送出手段は、接続する配管に設けたバルブの開閉操作により前記凝集反応タンクへの前記混濁水の送り出しを、前記処理タンク内での循環に切り替えて、前記処理タンク内での前記混濁水の撹拌を行う請求項８乃至１２のいずかれに記載の脱水装置。
【請求項１４】
前記第２の送出手段は、接続する配管に設けたバルブの開閉操作により前記脱水用袋への前記混濁水の送り出しを、前記凝集反応タンク内での循環に切り替えて、前記凝集反応タンク内での前記混濁水の撹拌を行う請求項８乃至１２のいずれかに記載の脱水装置。
【発明の詳細な説明】
【技術分野】
【０００１】
本発明は、水と固形物とが混濁した混濁水を前記水と前記固形物とに分離する脱水用袋及びこの脱水用袋を用いた脱水装置に関する。
【背景技術】
【０００２】
汚泥等を含む混濁水の処理に際しては、有害物質等の漏出を防止するために、水と固形とを分離する濾過装置（脱水装置）が使用される。濾過装置としては、真空機構による真空差圧を利用した真空濾過装置、加圧機構による加圧差圧を利用したフィルタープレス濾過装置、ベルトプレス濾過装置等が使用されている（例えば、特許文献１、２参照）。特許文献１に開示されるフィルタープレス装置は、所定方向に複数枚配置された濾板間に汚泥を含む混濁水を通流させ、濾板相互間を狭めることで分離脱水する濾過装置である。
【先行技術文献】
【特許文献】
【０００３】
【特許文献１】特開２０１２−６１４７３号公報
【特許文献２】特開２０１４−１８７１８号公報
【発明の概要】
【発明が解決しようとする課題】
【０００４】
上記特許文献１に開示された内容は、圧搾時に必要な高圧に対しても十分に耐えうるフィルタープレス装置を提供するものであるが、濾板を複数枚配置する装置構成であり、大量の混濁水を処理するには装置が比較的複雑でかつ大きくなり、さらには設置費用、メンテナンス費用等のコストが嵩むという問題がある。
【０００５】
一方、特許文献２に記載の混濁水の分離処理装置は、土嚢袋を濾布として使用するものであり、分離処理されたフロックを濾布ごと処理することができる等、コストを抑えた処理方法であるが、上記土嚢袋は、例えば巾着式のポリエチレン製の布袋であり、このような土嚢袋を濾布として使用するには、強度上は問題がないとしても、有害物質の漏出防止という点から濾過能力に問題がある。濾過能力の高い濾布で形成された土嚢袋の使用も考えられるが、分離処理された固形物を収納、保管するには強度上の問題があり、強度を高めた濾布を使用するにはコスト等の問題から難点がある。
【０００６】
本発明は、このような事情に鑑みてなされたものであり、濾過能力が高く、かつ分離処理された固形物を収納可能な強度を持つ脱水用袋、及びこの脱水用袋を用いる脱水装置の提供を目的とするものである。
【課題を解決するための手段】
【０００７】
上記課題を解決するために、本発明に係る脱水用袋は、水と固形物とが混濁した混濁水を前記水と前記固形物とに分離する脱水用袋であって、複数の透水孔が形成された収納袋と、該収納袋の内側に設けた濾過布と、を有する構成となる。
【０００８】
このような構成によれば、脱水用袋は、複数の透水孔が形成された収納袋と、収納袋の内側に設けた濾過布との二重構造であるから、濾過布により混濁物から分離された水を収納袋から排出可能であり、さらに濾過布により分離されて残された固形物を収納する強度を有するので、濾過能力が高く、かつ分離処理された固形物を収納可能な強度を持つ脱水用袋として用いることができる。
【０００９】
本発明に係る脱水用袋において、前記脱水用袋を吊り下げるために前記脱水用袋に装着された吊り部材を有する構成とすることができる。
【００１０】
このような構成によれば、脱水用袋に吊り部材が装着されているので、汚泥等の混濁水が投入された脱水用袋を吊り下げ具等に吊り下げて、混濁水から固形物と水とを分離できるので、脱水が容易となる。
【００１１】
本発明に係る脱水用袋において、前記吊り部材は、両端部を前記脱水用袋に縫合された、一対のベルト状部材である構成とすることができる。
【００１２】
このような構成によれば、吊り部材として一対のベルト状部材が装着されているので、脱水用袋を容易に吊り下げて、脱水することができる。
【００１３】
本発明に係る脱水用袋において、前記濾過布は、前記収納袋との縫合により前記収納袋の内側全体に設けられている構成とすることができる。
【００１４】
このような構成によれば、濾過布が収納袋との縫合により収納袋の内側全体に設けられているので、脱水用袋からの固形物の排出を抑えることができる。さらに、縫合により強度が向上した脱水用袋を提供することができる。
【００１５】
本発明に係る脱水用袋において、前記濾過布は、フランネルを含む天然素材又は人工素材による織布又は不織布から成る構成とすることができる。
【００１６】
このような構成によれば、汚泥を含む混濁水に含まれる固形物の粒径等に応じて濾過布の選択をすることができる。特に、濾過布にフランネルを用いることで、例えば、セシウム等の放射性物質を含む汚泥であっても、セシウム等を含む土壌等の固形物と、水とを分離することができる。
【００１７】
本発明に係る脱水用袋において、前記収納袋は、透水性の材質又は複数の排水用孔部を設けた遮水性の材質から成る構成とすることができる。
【００１８】
このような構成によれば、収納袋として目の粗い透水性の材質のものを使用する他に、遮水性の材質のものに複数の排水用孔部を設けて使用することができるので、選択範囲を広くできる。
【００１９】
本発明に係る脱水用袋において、前記収納袋は、フレキシブルコンテナバッグである構成とすることができる。
【００２０】
このような構成によれば、汎用品であるフレキシブルコンテナバッグを収納袋とするので、脱水用袋の製造が容易であり、かつコストを抑えることができることになる。
【００２１】
本発明に係る脱水装置は、上記したいずれかの脱水用袋と、前記脱水用袋を所定状態に保持する脱水用袋保持手段と、投入された混濁水を撹拌する処理タンクと、該処理タンクで撹拌された前記混濁水を前記処理タンク外へ送り出す第１の送出手段と、該第１の送出手段により送られる前記混濁水に凝集剤を投入して撹拌する凝集反応タンクと、凝集剤を投入された前記混濁水を前記凝集反応タンク外へ送り出す第２の送出手段と、を有し、該第２の送出手段により前記混濁水が、前記脱水用袋保持手段により保持された前記脱水用袋に投入される構成となる。
【００２２】
このような構成によれば、混濁水を投入するための所定状態に保持された脱水用袋に、凝集剤が入れられた混濁水を投入することで、混濁水から水と固形物を分離して、容易に脱水することができるので、分離した水の再利用と、水と分離した固形物の脱水用袋への収納とが可能となる。脱水用袋保持手段としては、例えば、投入された汚泥から脱水するために脱水用袋を所定の位置に吊り下げる架台や、又は脱水用袋を装着して回転脱水する脱水機等が相当する。
【００２３】
本発明に係る脱水装置は、上記の吊り部材を有する脱水用袋と、該脱水用袋の前記吊り部材と係合する吊り具により前記脱水用袋を吊り下げる脱水用袋吊り架台と、投入された混濁水を撹拌する処理タンクと、該処理タンクで撹拌された前記混濁水を前記処理タンク外へ送り出す第１の送出手段と、該第１の送出手段により送られる前記混濁水に凝集剤を投入して撹拌する凝集反応タンクと、凝集剤を投入された前記混濁水を前記凝集反応タンクから前記脱水用袋吊り架台に吊り下げられた前記脱水用袋に送り出す第２の送出手段と、前記脱水用袋から排出された、前記混濁水から分離された水を貯留する第１の分離水貯留タンクと、を有する構成となる。
【００２４】
このような構成によれば、前記吊り部材と係合する吊り具により前記脱水用袋を吊り下げる脱水用袋吊り架台により、混濁水が投入された前記脱水用袋を吊り下げることで、混濁水は水と固形物とに容易に分離される。また、混濁水から分離された水を貯留する第１の分離水貯留タンクを設けたので、混濁水から分離された水を再利用又は放流等の処理が可能となる。
【００２５】
本発明に係る脱水装置において、前記脱水用袋吊り架台は、前記脱水用袋から排出された、前記混濁水から分離された水を集水する分離水受け台を備え、該分離水受け台は、前記第１の分離水貯留タンクに連通されている構成とすることができる。
【００２６】
このような構成によれば、脱水用袋から排出された、混濁水から分離された水を集水する分離水受け台が、第１の分離水貯留タンクに連通しているので、混濁水から分離された水の利用が容易となる。
【００２７】
本発明に係る脱水装置は、上記の吊り部材を有する脱水用袋と、前記脱水用袋の前記吊り部材と係合する位置決め具により前記脱水用袋を吊り下げて、回転脱水させる脱水機と、投入された混濁水を撹拌する処理タンクと、該処理タンクで撹拌された前記混濁水を前記処理タンク外へ送り出す第１の送出手段と、該第１の送出手段により送られる前記混濁水に凝集剤を投入して撹拌する凝集反応タンクと、凝集剤を投入された前記混濁水を前記凝集反応タンクから前記脱水機に吊り下げられた前記脱水用袋に送り出す第２の送出手段と、前記脱水機から排出された、前記混濁水から分離された水を貯留する第２の分離水貯留タンクと、を有する構成となる。
【００２８】
このような構成によれば、脱水用袋に装着される吊り部材と、脱水機の位置決め具との係合により吊り下げて回転脱水することで、吊り下げによる濾過、分離する場合と比べて、短時間で混濁水を水と固形物とに濾過、分離することができ、この分離された水を第２の分離水貯留タンクに貯めることで、分離した水の再利用又は放流等の処理が容易となる。
【００２９】
本発明に係る脱水装置において、前記第２の送出手段は、前記凝集剤が投入された前記凝集タンク内で前記混濁水からフロック及び上澄みの形成後に、前記混濁水を前記脱水用袋に送り出す構成とすることができる。
【００３０】
このような構成とすることで、凝集剤が投入された混濁水からフロック及び上澄みの形成を確認した後に、前記混濁水を脱水用袋に送るので、混濁水から水と固形物との分離がより一層確実かつ容易に行え、脱水効果が向上する。
【００３１】
本発明に係る脱水相違において、前記第１の送出手段は、接続する配管に設けたバルブの開閉操作により前記凝集反応タンクへの前記混濁水の送り出しを、前記処理タンク内での循環に切り替えて、前記処理タンク内での前記混濁水の撹拌を行う構成とすることができる。
【００３２】
このような構成とすることで、バルブの開閉操作により第１の送出手段によって、凝集反応タンクへの前記混濁水の送り出しと、処理タンク内での循環による混濁水の撹拌とを切り替えて行うことができる。
【００３３】
本発明に係る脱水装置において、前記第２の送出手段は、接続する配管に設けたバルブの開閉操作により前記脱水用袋への前記混濁水の送り出しを、前記凝集反応タンク内での循環に切り替えて、前記凝集反応タンク内での前記混濁水の撹拌を行う構成とすることができる。
【００３４】
このような構成によれば、バルブの開閉操作により第２の送出手段によって、脱水用袋への混濁水の送り出しと、凝集反応タンク内での循環による混濁水の撹拌とを切り替えて行うことができる。
【発明の効果】
【００３５】
本発明に係る脱水用袋によれば、複数の透水孔が形成された収納袋と、収納袋の内側に設けた濾過布との二重構造であるから、濾過布により混濁物から分離された水を収納袋から排出可能であり、さらに濾過布により分離されて残された固形物を収納する強度を有するので、濾過能力が高く、かつ分離処理された固形物を収納可能な強度を持つ脱水用袋として用いることができる。
【００３６】
また、本発明に係る脱水装置によれば、混濁水を投入するための所定状態に保持された上記脱水用袋に、凝集剤が入れられた混濁水を投入することで、混濁水から水と固形物を分離して、容易に分離、脱水することができるので、分離した水の再利用と、分離した固形物の脱水用袋への収納とが可能となる。
【図面の簡単な説明】
【００３７】
【図１】本発明の第１の実施形態に係る脱水用袋の概略図である。
【図２】本発明の第１の実施形態に係る脱水装置の概略構成図である。
【図３】図２に示す脱水装置を構成する吊り架台の正面図である。
【図４】図２に示す脱水装置を構成する吊り架台の平面図である。
【図５】図４に示す脱水装置を構成する吊り架台のＡ−Ａ矢視図である。
【図６】本発明の第１の実施形態に係る脱水装置による処理手順を示すフローチャートである。
【図７】本発明の第２の実施形態に係る脱水用袋の概略図である。
【図８】本発明の第２の実施形態に係る脱水装置の概略構成図である。
【図９】本発明の第３の実施形態に係る脱水用袋の概略図である。
【発明を実施するための形態】
【００３８】
以下、本発明の実施の形態について図面を用いて説明する。
【００３９】
（第１の実施形態）
本発明の第１の実施形態に係る脱水用袋は図１に示すように構成される。さらに、本発明の第１の実施形態に係る脱水装置は図２に示すように構成される。
【００４０】
図１に示すように、脱水用袋１１は、底部１２ａと側面部１２ｂとを備えた円筒状の収納袋１２と、収納袋１２の内側全体に縫合された濾過布１３と、両端部を底部１２ａ及び側面部１２ｂに縫合された一対の吊りベルト（吊り部材）１５ａ、１５ｂとを有する構成である。
【００４１】
収納袋１２としては、例えば市販品である、ポリエチレン又はポリプロピレン等の丈夫な化学繊維で織られたシート及びベルトより構成されるフレキシブルコンテナバッグ（以下、「フレコンバッグ」と略称する。）を用いることができる。フレコンバッグには上記したように、吊り下げ用の一対の長いループ形状の吊り部を形成するベルトが底部及び側面部に縫合されているので（開口周辺に補強布１６を設けて縫合）、上記した吊りベルト１５ａ、１５ｂを兼ねることができる。市販のフレコンバッグには、形状が角型、円筒型のものがあり、本実施形態では円筒型を使用しているが、用途等に応じていずれかを選択することができる。さらに、材質、サイズ等も用途、容量等に応じて選択することができる。また、フレコンバッグには、比較的粗めの織り目を有する、水の透過孔を有するものと、織り目の細かい、遮水性を有するものとがある。脱水用袋１１を構成する収納袋１２として使用するフレコンバッグは、織り目の粗い水の透過孔を有するものを使用するが、織り目の細かい遮水性を有するものを使用する場合には、底部１２等に水の透過孔（直径５〜１０ｍｍ程度）を複数個設ける穴加工を施して使用することができる。
【００４２】
収納袋１２の内側全体に縫合される濾過布１３は、脱水用袋１１に投入されて脱水される混濁水に含まれる固形物の種類によって適宜選択されるが、例えば、放射性物質であるセシウム（Ｃｓ）を含む土壌と水を含む汚泥から水を分離、濾過する場合には、土壌と結合したセシウムの透過を防止するために、濾過布としてフランネルを使用することが好ましい。フランネルには、ウールを平織したもの、又は綾織したもの、さらにはウールと合成繊維との混紡のものがあるが、例えば、土壌と結合したセシウムの透過を防止できるものであれば、いずれを使用しても良い。図１に示すように、フランネルによる濾過布１２は、収納袋１２の内側全面に縫合されるものであり、収納部１２の天部の開口部で折り返し部１３ａを設けて縫合されている。なお、濾過布１２としては、上記したフランネルの他、他の天然繊維、合成繊維、及びこれらの混紡繊維、紙等を用途に応じて選択することもできる。
【００４３】
次に、図２を参照して、上記した脱水用袋１１を使用する脱水装置２１の装置構成の概要について説明する。脱水装置２１では、脱水する混濁水として、セシウムを含む土壌と水とが混合した混濁水である汚泥を対象とする。以下、汚泥から水を脱水してセシウムを含む土壌を分離する場合を例として説明する。
【００４４】
図２に示すように、脱水装置２１は、セシウムを含む土壌と水とが混濁した汚泥（混濁水）を投入し、汚泥を循環させて撹拌する処理タンク２３と、処理タンク２３から送られた汚泥に凝集剤を投入し、汚泥を循環させて撹拌する凝集反応タンク２５と、凝集反応タンク２５に凝集剤を投入する凝集剤供給装置２７と、凝集反応タンク２５で凝集剤が投入されてフロックが形成された汚泥が投入される脱水用袋１１を吊り下げる脱水用袋吊り架台２８とを有する。
【００４５】
図３乃至図５に示すように、脱水用袋吊り架台２８は、４本の支柱３１ａ、３１ｂ、３１ｃ、３１ｄをそれぞれ２本ずつ傾斜させて梁部材３２ａ、３２ｂを介して組み合わせたものを左右に配置し、これらの間に吊り下げ用梁３３を架設したものである。支柱３１ａ、３１ｂと支柱３１ｃ、３１ｄとの間を水平方向に架設された吊り下げ用梁３３には、送泥管３５ａが略平行に配設されている。送泥管３５ａは、後述するように、脱水用袋吊り架台２８に吊り下げた脱水用袋１１に、凝集反応タンク２５からの汚泥を送出する配管であり、その一端は凝集タンク２５に接続され、他端はフランジ等の部材により封止されている。送泥管２５は、吊り下げ梁３３と平行に配設された部分には、吊り下げ梁３３に吊り下げられた脱水用袋１１に汚泥を投入するノズル３４ａ、３４ｂが垂設されている。このノズル３４ａ、３４ｂには、投入する汚泥の流量を制御する流量制御バルブ３６ａ、３６ｂがそれぞれ設けられている。流量制御バルブ３６ａ、３６ｂは、電磁バルブ、手動バルブの何れでもよく、アクチュエータバルブを使用することもできる。これらの何れを使用するかについては、仕様、運用状況等により適宜選択することができる。
【００４６】
吊り下げ梁３３には、脱水用袋１１を吊り下げるために、脱水用袋１１の吊りベルト１５ａ、１５ｂと係合する吊り具３８ａ、３８ｂ、３８ｃ、３８ｄが固設されている。本実施形態では、１台の脱水用袋吊り架台２８は、２個の脱水用袋１１を吊り下げる構造となっており、１個の脱水用袋１１には、２本の吊ベルト１５ａ、１５ｂ（一対）が設けられており、２個の吊り具３８とそれぞれ係合させて吊り下げる。吊り具３８は、釣り針形状のフック部材であり、その円弧部分に吊りベルト１５を引掛けることで吊り下げる構造となっている。
【００４７】
脱水用袋吊り架台２８は、吊り下げた２個の脱水用袋１１の真下に、脱水用袋１１から垂下する、汚泥から分離した水を受け止める方形状の皿である分離水受け台３９を設けており、さらに分離水受け台３９と連通する分離水貯留タンク４１を有する。分離水受け台３９は、分離水貯留タンク４１に向けて分離した水を送るために水勾配３９ａ（１／１００〜１／５０程度の傾斜）が形成されている。
【００４８】
上記した脱水用袋吊り架台２８を有する脱水装置２１について、図２を参照して説明する。処理タンク２３には、搬送された汚泥を投入する汚泥配管３５ｂが外部から処理タンク２３の内部に貫通している。処理タンク２３内の底部には水中ポンプ４３が設置されており、この水中ポンプ４３は処理タンク２３内に貯留された汚泥を外部に送出する働きを有する。水中ポンプ４３に接続される汚泥配管３５ｃが処理タンク２３の外部に延長され、途中で汚泥配管３５ｄ、３５ｅに分岐している。汚泥配管３５ｄは凝集反応タンク２５に接続されており、汚泥配管３５ｅは処理タンク２３に戻るように処理タンク２３の天部（又は壁部）を貫通し、処理タンク２３の内部に向けて配置されている。また、汚泥配管３５ｄには電磁開閉バルブ４５ａが、汚泥配管３５ｅには電磁開閉バルブ４５ｂがそれぞれ設置されており、これにより汚泥配管３５ｄ、３５ｅの開閉操作を行うことができる。電磁開閉バルブ４５ｂを閉じ、電磁開閉バルブ４５ａを開いて水中ポンプ４３を作動させると、処理タンク２３内の汚泥が汚泥配管３５ｃ、３５ｄを通じて凝集反応タンク２５へと送出される。また、電磁開閉バルブ４５ｂを開き、電磁開閉バルブ４５ａを閉じて水中ポンプ４３を作動させると、処理タンク２３内の汚泥が汚泥配管３５ｃ、３５ｅを通じて処理タンク２３へと循環することで、汚泥の攪拌がなされる。処理タンク２３には、更に、貯留された汚泥の流量の上限と下限とを検出する液面センサ４６ａ、４６ｂが処理タンク２３の側壁にそれぞれ設置されている。液面センサ４６ａ、４６ｂは、それぞれコントローラ（不図示）に接続されており、コントローラは検出値に基づいて電磁開閉バルブ４５ａ、４５ｂの開閉制御を行うことができる。上記した電磁開閉バルブ４５ａ、４５ｂを半開きの状態で使用して、撹拌による混合と、送泥とを同時に行うことも可能である。また電磁開閉バルブに代えて手動バルブを使用することも可能であり、さらにはアクチュエータバルブの使用も可能である。どの種類のバルブを使用するか、どのように使用するかについては、仕様、運用状況等により適宜選択することができる。
【００４９】
凝集反応タンク２５は、処理タンク２３からの汚泥が送られる汚泥配管３５ｄと連通している。凝集反応タンク２５内の底部には水中ポンプ４８が設置されており、この水中ポンプ４８は凝集反応タンク２５内に貯留された汚泥を外部に送出する働きを有する。水中ポンプ４８に接続される汚泥配管３５ｆが凝集反応タンク２５の外部に延長され、途中で汚泥配管３５ｇ、３５ｈに分岐している。汚泥配管３５ｇは脱水用袋吊り架台２８の汚泥配管３５ａに接続されており、汚泥配管３５ｈは凝集反応タンク２５に戻るように凝集反応タンク２５の天部（又は壁部）を貫通し、凝集反応タンク２５の内部に向けて配置されている。また、汚泥配管３５ｇには電磁開閉バルブ４５ｃが、汚泥配管３５ｈには電磁開閉バルブ４５ｄがそれぞれ設置されており、これにより汚泥配管３５ｇ、３５ｈの開閉操作を行うことができる。電磁開閉バルブ４５ｄを閉じ、電磁開閉バルブ４５ｃを開いて水中ポンプ４８を作動させると、凝集反応タンク２５内の汚泥が汚泥配管３５ｆ、３５ｇ、３５ａ及びノズル３４（３４ａ、３４ｂ）を通じて脱水用袋１１へと送出される。また、電磁開閉バルブ４５ｄを開き、電磁開閉バルブ４５ｃを閉じて水中ポンプ４８を作動させると、凝集反応タンク２５内の汚泥が汚泥配管３５ｆ、３５ｈを通じて凝集反応タンク２５へと循環することで、凝集反応タンク２５内での汚泥の攪拌がなされる。
凝集反応タンク２５には、更に、貯留された汚泥の流量の上限と下限とを検出する液面センサ４６ｃ、４６ｄが凝集反応タンク２５の側壁にそれぞれ設置されている。液面センサ４６ｃ、４６ｄは、それぞれコントローラ（不図示）に接続されており、コントローラは検出値に基づいて電磁開閉バルブ４５ｃ、４５ｄの開閉制御を行うことができる。上記した電磁開閉バルブ４５ｃ、４５ｄを半開きの状態で使用して、撹拌による混合と、送泥とを行うことも可能である。また電磁開閉バルブに代えて手動バルブを使用することも可能であり、さらにはアクチュエータバルブの使用も可能である。どの種類のバルブを使用するか、どのように使用するかについては、仕様、運用状況等により適宜選択することができる。
【００５０】
凝集剤供給装置２７は、凝集反応タンク２５の天部側に配置され、凝集剤をタイマー調整により凝集反応タンク２５に供給、投入する。凝集剤としては、汚泥等の混濁水から土壌等の固形物をフロック形成させて、上澄みを生じさせるものであればよく、例えば、ゼオライト、シラス、石膏等の紛状の無機系凝集剤を使用するが、その他、ＰＡＣ（ポリ塩化アルミニム）、硫酸バンド（硫酸アルミニウム）、ポリ鉄（ポリ硫酸第二鉄）等の無機系凝集剤、さらにはポリアクリルアミド系の有機系凝集剤（高分子凝集剤）を使用することもできる。具体的には、混濁水に含まれる固形物がフロック形成し易い凝集剤を選択する。
【００５１】
次に、図２に示す脱水装置による動作の手順を、図６に示すフローチャートを参照して説明する。対象となる混濁水は、放射性物質であるセシウム（Ｃｓ）を含んだ土壌と、水を含んだ汚泥（混濁水）から、セシウムを含んだ土壌と水とに分離する、汚泥の脱水を行うものである。例えば、セシウムにより汚染された土壌、側溝等の洗浄、回収の際には、土壌、又は側溝に水を散布して行うことで、セシウムの大気中への飛散を防止することができるが、大量の水分を含んだ汚泥を適正に処分するには、汚泥から水分を分離する必要がある。
【００５２】
側溝等を散水、清掃（ブラシ清掃）を行う側溝掃除機（不図示）により吸引回収した汚泥を、側溝掃除機と処理タンク２３とを接続する汚泥配管３５ｂを通じて送出し、処理タンク２３に投入する（Ｓ１１）。処理タンク２３では、投入された汚泥の量を液面センサ４６ａ、４６ｂにより検出し、所定量が投入されたときには、コントローラ（不図示）による制御によって、汚泥の投入を停止する。
【００５３】
所定の量の汚泥が投入された処理タンク２３では、電磁開閉バルブ４５ａを閉じ、電磁開閉バルブ４５ｂを開き、水中ポンプ４３を作動させて、泥水を処理タンク２３、水中ポンプ４３、泥水配管３５ｃ、泥水配管３５ｅ、処理タンク２３へと循環させて撹拌する（Ｓ１２）。大気中に放出されたセシウムは、降雨とともに降下し、陽イオンとして、負イオンを帯びている土壌にひきつけられる性質を有する。したがって、散水により側溝から吸引回収した汚泥を十分に撹拌することで、水中に含まれるセシウムは汚泥中の土壌の粒子と結合する。セシウムは、土壌に対して離れにくい性質を有するので、汚泥から分離した水にはセシウムが殆ど含まれないことになり、セシウムを含んだ土壌の処分と、分離した水の放出、再利用が可能となる。このため、上記したように、処理タンク２３内での撹拌を十分に行い、セシウムを土壌と結合させ、水中にセシウムが浮遊しないようにする必要がある。
【００５４】
処理タンク２３内での泥水の撹拌が十分になされた後に、電磁開閉バルブ４５ｂを閉じ、電磁開閉バルブ４５ａを開いた状態にして水中ポンプ４３を作動させて泥水を送出すると、泥水は泥水配管３５ｃ、３５ｄを通じて凝集反応タンク２５へ送られる（Ｓ１３）。凝集反応タンク２５では、投入された汚泥の量を液面センサ４６ｃ、４６ｄにより検出し、所定量が投入されたときには、コントローラ（不図示）による制御によって、処理タンク２３の水中ポンプ４３による送泥が停止される。なお、電磁開閉バルブ４５ａ、４５ｂを半開きの状態にして水中ポンプ４３を作動させることで、処理タンク２３での撹拌による混合と、凝集反応タンク２５への送泥とを同時に行うこともできる。
【００５５】
所定の量の汚泥が投入された凝集反応タンク２５では、電磁開閉バルブ４５ｃを閉じ、電磁開閉バルブ４５ｄを開き、水中ポンプ４８を作動させて、泥水を凝集反応タンク２５、水中ポンプ４８、泥水配管３５ｆ、泥水配管３５ｈ、凝集反応タンク２５へと循環させて撹拌する（Ｓ１４）。上述したように、泥水中に含まれるセシウムと土壌とを十分に結合させるためである。
【００５６】
凝集反応タンク２５内での泥水の撹拌を十分に行い、さらにこの泥水に凝集反応タンク２５の天井部に配置された凝集剤供給装置２７から泥水に凝集剤をタイマー制御の下で所定量を投入する（Ｓ１５）。凝集剤としては、上述したように、ゼオライト、シラス、石膏等の紛状の無機系凝集剤の他、ＰＡＣ（ポリ塩化アルミニム）等の無機系凝集剤、有機系凝集剤（高分子凝集剤）を使用することもできる。凝集剤を投入することで、セシウムを含んだ土壌粒子を多数結合させた集合体のフロックを形成させて、上澄みを生じさせる。これにより、後述する脱水用袋に泥水を投入して脱水したときに、汚泥から分離され、脱水用袋から垂下した分離水には、セシウムが殆ど含まれないようにすることが可能となる。
【００５７】
凝集反応タンク２５内の撹拌中の泥水に凝集剤が投入された後に、泥水中にフロックの形成と上澄みの発生を確認する。フロックの形成及び上澄みの発生が確認されないときは（Ｓ１６のＮＯ）、凝集剤の投入を継続する。フロックの形成及び上澄みの発生が確認されたときは（Ｓ１６のＹＥＳ）、凝集剤の投入を停止して脱水用袋１１への送泥を開始する（Ｓ１７）。電磁開閉バルブ４５ｄを閉じ、電磁開閉バルブ４５ｃを開いて水中ポンプ４８による送泥を開始する。汚泥は汚泥配管３５ｆ、３５ｇ、３５ａ及びノズル３４ａ、３４ｂを通じて、２個の脱水用袋１１に送出される。なお、電磁開閉バルブ４５ｃ、４５ｄを半開きの状態にして水中ポンプ４８を作動させることで、凝集反応タンク２５での撹拌による混合と、脱水用袋１１への送泥とを同時に行うこともできる。
【００５８】
脱水用袋吊り架台２８に吊り下げられた、２個の脱水用袋１１には、汚泥配管３５ａから垂下するノズル３４ａ、３４ｂから汚泥が投入される。投入される汚泥の量は、ノズル３４ａ、３４ｂの中間付近に設けられた流量制御バルブ３６ａ、３６ｂによる開閉制御によって調整される。
【００５９】
所定量の汚泥が投入された脱水用袋１１では、収納袋１２の内側全体に縫合されたフランネルの濾過布１３により、汚泥中に含まれるセシウムを含む土壌と水とを分離、濾過する（図１参照）。フランネルの濾過布１３は、毛羽立った表面を有し、さらに細かい目幅で形成されているので、セシウムを含む土壌の集合体（フロック）を透過させず、水のみを透過させることができる。フランネルの濾過布１３には、水を分離、濾過するにつれて汚泥中に含まれる土壌による皮膜が形成され、これが汚泥の濾過を促進する働きを有することになる。
【００６０】
濾過布１３で分離された水は、さらに粗めで水透過性を有するフレコンバッグを利用する収納袋１２を透過し（図１参照）、自重により落下し、脱水用袋１１の下部に配置された分離水受け台３９に集められる。なお、遮水性の収納袋（フレコンバッグ）を使用するときは、収納袋の底部に水透過孔を複数個形成する。分離水受け台３９は、水勾配３９ａ（１／１００〜１／５０の傾斜）が形成されており、この水勾配３９ａにより流れた水は、分離水受け台３９と連通する分離水貯留タンク４１に貯留される（Ｓ１８）。上述したように、セシウムは、土壌の粒子とイオン結合する性質を有するので、処理タンク２３、凝集反応タンク２５で十分撹拌されることで、土壌の粒子と強く結合し、結合後に離反することは殆どないと考えられる。そして、セシウムと結合した土壌の粒子を含む汚泥には、凝集反応タンク２５で凝集剤が投入され、フロックが形成される。フロックが形成された汚泥を脱水用袋１１に投入し、汚泥から分離され、脱水用袋１１から垂下する水にはセシウムが殆ど含まれない状態になり、分離水貯留タンク４１に貯留された水を再利用することや、放流等による処分が可能となる。
【００６１】
脱水用袋１１における汚泥からの土壌（セシウム含む）と水との分離は、汚泥中の水が重力により落下して濾過布を通過するものであるから、汚泥の分離には数時間を要するものと考えられるが、脱水用袋吊り架台２８に吊り下げられた脱水用袋に汚泥を投入するだけで、汚泥から水を分離することができるので、低コストの脱水装置を提供することができる。また、脱水後に集めた水にはセシウムが殆ど無いことから、分離した水の再利用が可能であり、さらに脱水用袋に残されたセシウムを含む土壌は、脱水用袋を遮水性の袋（遮水性のフレコンバッグ）にそのまま入れることで、作業員の手に直接触れることなく処分場等への搬入が可能である。
【００６２】
（第２の実施形態）
次に、本発明の第２の実施形態に係る脱水用袋、及びこの脱水用袋を使用する本発明の第２の実施形態に係る脱水装置について説明する。本発明の第２の実施形態に係る脱水用袋は図７に示すように構成される。さらに、本発明の第２の実施形態に係る脱水装置は図８に示すように構成される。本実施形態の説明に際しては、第１の実施形態と共通する部分の説明を簡略にし、異なる部分の説明を中心に詳述する。また、第１の実施形態と共通する構成部分の名称、符号は同一のものを使用して説明する。
【００６３】
図７に示すように、脱水用袋５１は、底部１２ａと側面部１２ｂとを備えた円筒状の収納袋１２と、収納袋１２の内側全体に縫合された濾過布１３と、側面部１２ｂの上端側で開口付近に補強布１６を介して等間隔で縫合された、４個のリング状部材（吊り部材）５２（５２ａ〜５２ｄ）とを有する構成である。
【００６４】
収納袋１２としては、第１の実施形態と同様に、市販品の、ポリエチレン又はポリプロピレンン等の丈夫な化学繊維で織られたフレコンバッグを用いることができる。市販のフレコンバッグに上記したリング状部材５２と略同様のものが縫合されているときは、リング状部材５２として使用し、同様のものが縫合されていないときは、補強布１６と共に、４個のリング状部材５２をフレコンバッグに縫合する。また、第１の実施形態と同様に、フレコンバッグは、織り目の粗い水の透過孔を有するものを使用するが、織り目の細かい遮水性を有するものを使用する場合には、底部１２等に水の透過孔（直径５〜１０ｍｍ程度）を複数個設ける穴加工を施して使用することができる。また、収納袋１２の内側全体に縫合される濾過布１３としてフランネルを使用することが好ましい。なお、上記した脱水用袋５１は、収納袋１２とその内側に縫合された濾過布１３との二重構造であるが、例えば収納する汚泥等の混濁水が２０〜３０ｋｇ程度の少量の場合には、収納袋１２（フレコンバッグ）を使用せずにフランネル等の濾過布１３単独からなる構造のものであっても良い。この場合には、濾過布のみから成る収納袋に上記した４個のリング状部材（吊り部材）５２（５２ａ〜５２ｄ）を縫合し、脱水用袋とする。強度的に問題が生じないときは、濾過布のみの脱水用袋を使用することで、より低コストで処理することができる。
【００６５】
次に、図８を参照して、上記した脱水用袋５１を含む脱水装置５５の装置構成の概要について説明する。脱水装置５５では、実施形態１と同様に、脱水する混濁水として、セシウムを含む土壌と水とが混合した混濁水である汚泥を対象としている。
【００６６】
図８に示すように、脱水装置５５は、セシウムを含む土壌と水とが混濁した汚泥を投入し、汚泥を循環させて撹拌する処理タンク２３と、処理タンク２３から送られた汚泥に凝集剤を投入し、汚泥を循環させて撹拌する凝集反応タンク２５と、凝集反応タンク２５に凝集剤を投入する凝集剤供給装置２７と、凝集反応タンク２５で凝集剤が投入されてフロックが形成された汚泥が投入される脱水用袋５１を吊り下げにより装着し、回転脱水させる脱水機５７と、脱水機５７の下部に設置されて、脱水機５７から垂下する分離した水を貯留する分離水貯留槽５８と、を有する。本実施形態の脱水装置５５と第１の実施形態の脱水装置２１との相違点は、第１の実施形態では脱水用袋１１を脱水用袋吊り下げ架台２８に吊り下げ、汚泥を投入して分離、脱水する機構であるが、本実施形態の脱水装置５５では脱水用袋５１を脱水機５７による回転で脱水する機構である。また、本実施形態の脱水装置５５の脱水用袋５１についても、脱水用袋吊り架台２８に吊り下げる第１の実施形態と異なり、脱水機５７に設置して回転脱水するため、吊り部材として長いベルト状のものは不要であり、図７に示すようにリング状部材５２が縫合されている点が相違点である。処理タンク２３、凝集反応タンク２５、凝集剤供給装置２７等についてはセンサ等の附属品、配管系統を含めて共通することから、これらの点についての説明は簡略にする。
【００６７】
図８に示すように、脱水機５７は、主として、箱体であるケース体５８、ケース体５８の内部に設けられる、有底円筒形の回転槽５９、ケース体５８の天部に設けた蓋６１、回転槽５９に対してベルト６０を介して回転させるモータ６２を有する。蓋６１はヒンジ６３を支点として開閉可能にケース体５８の天部に設けられており、蓋６１を開いて回転槽５９に脱水用袋５１を装着することができる機構となっている。回転槽５９の上部の開口部周辺には、４個の釣り針形状の位置決めピン６５が等間隔で設けられている。脱水用袋５１の開口の周辺に縫合されたリング状部材５２を位置決めピン６５に係合させることで、脱水用袋５１を回転槽５９の所定位置に装着することができる。蓋６１の中心部には、円筒形状の挿入部材６７が貫設されていて、フレキシブルな汚泥配管７１が挿入部材６７に嵌め込まれている。汚泥配管７１の一端が蓋６１の挿入部材６７嵌め込まれ、他端が汚泥配管３５ｇと接続具６２を介して接続されている。
【００６８】
脱水機５７の下部に配置される分離水貯留槽５８は、脱水機５７の底部に設けた集水部５７ａから落下する水を貯留するタンクである。脱水装置５５による、汚泥から分離した水には殆どセシウムが含まれていないことから、この分離した水を再利用、又は処分するために分離水貯留槽５８に貯留するものである。なお、分離水貯留槽５８には、貯留する分離水の貯水量を計測するために、液面センサ４６ｅが設けられており、コントローラ（不図示）により貯水量の増減等が監視されている。
【００６９】
次に、図８に示す脱水装置による動作の手順を説明する。第１の実施形態と同様に、放射性物質であるセシウム（Ｃｓ）を含んだ土壌と水を含む汚泥（混濁水）から、セシウムを含んだ土壌と水とに分離する、汚泥の脱水を行うものである。
【００７０】
側溝等に堆積したセシウムを、水を散布して土壌と共に汚泥として側溝掃除機により吸引回収し、処理タンク２３に投入する。処理タンク２３では、電磁開閉バルブ４５ａを閉じ、電磁開閉バルブ４５ｂを開き、水中ポンプ４３を作動させて、泥水を処理タンク２３、水中ポンプ４３、泥水配管３５ｃ、泥水配管３５ｅ、処理タンク２３へと循環させて撹拌する。処理タンク２３内での泥水の撹拌が十分になされた後に、電磁開閉バルブ４５ｂを閉じ、電磁開閉バルブ４５ａを開いた状態にして水中ポンプ４３を作動させて泥水を送出すると、泥水は泥水配管３５ｃ、３５ｄを通じて凝集反応タンク２５へと送られる。
【００７１】
所定の量の汚泥が投入された凝集反応タンク２５では、電磁開閉バルブ４５ｃを閉じ、電磁開閉バルブ４５ｄを開き、水中ポンプ４８を作動させて、泥水を凝集反応タンク２５、水中ポンプ４８、泥水配管３５ｆ、泥水配管３５ｈ、凝集反応タンク２５へと循環させて撹拌する。撹拌を十分に行い、さらにこの泥水に凝集反応タンク２５の天井部に配置された凝集剤供給装置２７から泥水に凝集剤をタイマー制御の下で所定量を投入する。凝集剤は、上述したように、第１の実施形態と同様に、紛状の無機系凝集剤の他、ＰＡＣ（ポリ塩化アルミニム）等の無機系凝集剤、有機系凝集剤（高分子凝集剤）を使用することもできる。凝集反応タンク２５内の撹拌中の泥水に凝集剤が投入された後に、フロックの形成及び上澄みの発生が確認されたときは、凝集剤の投入を停止して脱水用袋１１への送泥を開始する。電磁開閉バルブ４５ｄを閉じ、電磁開閉バルブ４５ｃを開いて水中ポンプ４８による送泥を開始する。汚泥は汚泥配管３５ｆ、３５ｇ、汚泥配管７１、挿入部材６７を通じて、脱水機５７の回転槽５９に装着された脱水用袋５１に送出される。
【００７２】
脱水機５７内に設けられた回転槽５９の位置決めピン６５に、リング状部材５２を係合させて装着された脱水用袋５１に所定量の汚泥が投入された後に、凝集反応タンク２５からの送泥が停止される。脱水用袋５１に送出される汚泥量は、例えば送出元となる凝集タンク２５の液面センサ４６ｃ、４６ｄの検出値によりコントローラ（不図示）が制御することができる。脱水用袋５１に所定量の汚泥が投入された後、モータ６２を駆動して回転槽５９を回転させて汚泥からの脱水を行う。回転による遠心力によって、汚泥に含まれる水は濾過布１３により濾過、分離され、さらに透水孔を有する収納袋１２を透過し、脱水用袋５１と回転槽５９との間に至る。回転槽５９の側面、底面には透水孔が無数に形成されているので、汚泥から分離した水はさらに回転槽５９とケース体５８との間から集水部５７ａを通じて分離水貯留槽５８へと落下する。分離水貯留槽５８に貯留された水量は、コントローラ（不図示）が液面センサ４６ｅにより検出する。
【００７３】
本実施形態の脱水装置５５は、上記したように、脱水用袋５１を脱水機５７に装着して脱水する機構であることから、第１の実施形態の吊り下げによる落下による脱水と異なり、脱水時間を短縮することができるので、多量の汚泥処理を行う場合には、本実施形態の脱水装置５５の使用が適している。濾過、脱水により分離して、分離水貯留槽５８に貯留した水は、上述したようにセシウムを殆ど含まないことから、他の用途への再利用、又は放水等の処分が可能となる。また、脱水により容量が減少した、セシウムを含む土壌については、第１の実施形態と同様に、脱水用袋を遮水性の袋（遮水性のフレコンバッグ）にそのまま入れることで、作業員の手に直接触れることなく処分場等への搬入が可能である。
【００７４】
（第３の実施形態）
次に、本発明の第３の実施形態に係る脱水用袋について説明する。本発明の第２の実施形態に係る脱水用袋は図９に示すように構成される。本実施形態に係る脱水用袋７１は、本発明の第１の実施形態に係る脱水装置２１、及び本発明の第２の実施形態に係る脱水装置５５のいずれにも用いることのできるタイプのものである。したがって、第１，２の実施形態と共通する構成部分の名称、符号は同一のものを使用して説明する。
【００７５】
図９に示すように、脱水用袋７１は、底部７２ａと側面部７２ｂとを備えた円筒状の収納袋７２と、収納袋１２の内側全体に縫合された濾過布７３と、両端部を底部１２ａ及び側面部１２ｂに縫合された一対の吊りベルト（吊り部材）７５ａ、７５ｂと、一対の吊りベルト７５ａ、７５ｂに縫合された４個のリング状部材（吊り部材）７７ａ、７７ｂ、７７ｃ、７７ｄを有する構成である。４個のリング状部材（吊り部材）７７ａ、７７ｂ、７７ｃ、７７ｄは、収納袋７２の側面部の上端部付近で一対の吊りベルト７５ａ、７５ｂに縫合されている。なお、市販のフレコンバッグに上記のリング状部材７７ａ〜７７ｄに相当するものが縫合されていないときには、別途に縫合により装着する必要がある。また、一対の吊りベルト７５ａ、７５ｂは、収納袋７２の側面部７２ｂとは補強布７８を介して縫合され、さらに脱水用袋吊り架台２８の吊り具３８（３８ａ〜３８ｄ）と係合する部分には、筒状のベルト保護具８１が装着されている。また、収納袋７２の底部７２ａには、リング状の部材である反転ベルト８３が、さらに側面部７２ｂには、透明の樹脂で形成される伝票袋８５が縫合されている。収納袋７２、濾過布７３の材質はいずれも第１、第２の実施形態で説明したものと同様であることから説明を省略する。
【００７６】
本実施形態に係る脱水用袋７１は、市販のフレコンバッグを利用したもので、脱水装置２１の脱水袋吊り架台２８に吊り下げて脱水する場合、脱水装置５５の脱水機５７に装着して脱水する場合のいずれにも使用可能なものである。脱水用袋吊り架台２８に吊り下げて脱水する場合には、脱水用袋７１のベルト保護具８１の部分を、脱水用袋吊り架台２８の吊り具３８に掛けて吊り下げるようにする。脱水機５７に装着して脱水する場合には，脱水用袋７１のリング状部材７７を回転槽５９の位置決めピン６５に引掛けて吊り下げ、装着する。
【００７７】
このように、本実施形態に係る脱水用袋７１は、脱水用袋吊り架台２８に吊り下げて脱水する脱水装置２１、脱水機５７に装着して脱水する脱水装置５５のいずれにも使用でき、さらに市販のフレコンバッグを利用したものであるから、製造が容易で、使い勝手がよく、さらに低コストのものが提供されることになる。なお、脱水機５７に装着して脱水する脱水装置５５に使用する場合で、例えば収納する汚泥等の混濁水が２０〜３０ｋｇ程度の少量の場合には、外側となる収納袋７２（フレコンバッグ等）を使用せずにフランネル等の濾過布７３単独からなる構造のものであっても良い。この場合には、濾過布のみから成る収納袋に上記した４個のリング状部材（吊り部材）７７（７７ａ〜７７ｄ）を縫合し、脱水用袋とする。強度的に問題が生じないときは、濾過布のみの脱水用袋を使用することで、より低コストで処理することができる。
【産業上の利用可能性】
【００７８】
本発明に係る脱水用袋、及びこの脱水用袋を用いる脱水装置は、複数の透水孔が形成された収納袋と、収納袋の内側に設けた濾過布との二重構造の脱水用袋であるから、混濁物から分離された水を収納袋から排出可能であり、残された固形物を収納する強度を有し、さらに分離した水の再利用と、水と分離した固形物の処理が容易という効果を有し、水と固形物とが混濁した混濁水を前記水と前記固形物とに分離する脱水用袋及びこの脱水用袋を用いる脱水装置として有用である。
【符号の説明】
【００７９】
１１  脱水用袋
１２  収納袋
１３  濾過布
１５（１５ａ、１５ｂ）  吊りベルト（吊り部材）
１６  補強布
２１  脱水装置
２３  処理タンク
２５  凝集反応タンク
２７  凝集剤供給タンク
２８  脱水用袋吊り架台
５１  脱水用袋
５５  脱水装置
５７  脱水機
５９  回転槽
７１  脱水用袋
【図１】
2016036798.tif 000003
【図２】
2016036798.tif 000004
【図３】
2016036798.tif 000005
【図４】
2016036798.tif 000006
【図５】
2016036798.tif 000007
【図６】
2016036798.tif 000008
【図７】
2016036798.tif 000009
【図８】
2016036798.tif 000010
【図９】
2016036798.tif 000011